(57)【要約】【課題】  分草中に絡み付く作物の茎葉部を左右両側に案内し、作物を誤って圃場から引き抜くことを防止できる作業者の分草装置を提供する。【解決手段】  手方向の軸芯を中心に回転自在な棒状乃至筒状の複数の回転式分草体４１ｃ，４１ｃを、トラクタ等の作業車両１の走行装置３の前側の位置に、回転式分草体４１ｃ，４１ｃ同士の左右間隔を後部側ほど大きくして後上り傾斜姿勢に設け、回転式分草体４１ｃ，４１ｃを一体化して作業車両１に対して上下回動自在に取り付け、回転式分草体４１ｃ，４１ｃを設置支持する接地輪３１ｃを設けるとともに、複数の回転式分草体４１ｃ，４１ｃを作業車両１側に着脱自在に取り付ける装着具４１ｄを設ける構成とした。【選択図】  図７
2010035440.tif 000002
【特許請求の範囲】
【請求項１】
長手方向の軸芯を中心に回転自在な棒状乃至筒状の複数の回転式分草体（４１ｃ，４１ｃ）を、トラクタ等の作業車両（１）の走行装置（３）の前側の位置に、該複数の回転式分草体（４１ｃ，４１ｃ）同士の左右間隔を後部側ほど大きくして後上り傾斜姿勢に設けたことを特徴とする作業車両用の分草装置。
【請求項２】
前記複数の回転式分草体（４１ｃ，４１ｃ）を一体化して作業車両（１）に対して上下回動自在に取り付け、該複数の回転式分草体（４１ｃ，４１ｃ）を設置支持する接地輪（３１ｃ）を設けたことを特徴とする請求項１記載の作業車両用の分草装置。
【請求項３】
前記複数の回転式分草体（４１ｃ，４１ｃ）を作業車両（１）側に着脱自在に取り付ける装着具（４１ｄ）を設けたことを特徴とする請求項１及び２記載の作業車両用の分草装置。
【発明の詳細な説明】
【技術分野】
【０００１】
本発明は、作業車両に取り付けて作物の茎葉を分草する分草装置に関する。
【背景技術】
【０００２】
ネギなどの作物の収穫をする作業車両において、機体前側部のゲートフレームから左右一対の分草板を前方へ突出させて設け、この分草板を後側ほど左右に拡張するように構成し、ネギなどの作物の茎葉部を引き抜き搬送装置に案内するものは、公知である。
【特許文献１】特開２００４−２６７１６３号公報
【発明の開示】
【発明が解決しようとする課題】
【０００３】
背景技術の分草板は固定されているため、分草しながら案内する作物の茎葉部この分草板に付着して絡み付き、作物そのものを引き抜いてしまうという不具合があった。そこで、本発明はこのような不具合を解消しようとするものである。
【課題を解決するための手段】
【０００４】
請求項１の発明は、長手方向の軸芯を中心に回転自在な棒状乃至筒状の複数の回転式分草体（４１ｃ，４１ｃ）を、トラクタ等の作業車両（１）の走行装置（３）の前側の位置に、該複数の回転式分草体（４１ｃ，４１ｃ）同士の左右間隔を後部側ほど大きくして後上り傾斜姿勢に設けたことを特徴とする作業車両用の分草装置とした。
【０００５】
前記構成によると、分草される作物の茎葉部は、回転自在な棒状及び筒状の複数の回転式分草体（４１ｃ，４１ｃ）に当接し、この茎葉部の当接による回転式分草体（４１ｃ，４１ｃ）の回転によって左右両側へ円滑に分草される。
【０００６】
請求項２の発明は、前記複数の回転式分草体（４１ｃ，４１ｃ）を一体化して作業車両（１）に対して上下回動自在に取り付け、該複数の回転式分草体（４１ｃ，４１ｃ）を設置支持する支持輪（３１ｃ）を設けたことを特徴とする請求項１記載の作業車両用の分草装置とする。
【０００７】
前記構成によると、回転式分草体（４１ｃ，４１ｃ）を接地輪（３１ｃ）で接地支持することによって、回転式分草体（４１ｃ，４１ｃ）は圃場面の凹凸等に応じて最適な高さで作物の茎葉部を分草することができる。
【０００８】
請求項３の発明は、前記複数の回転式分草体（４１ｃ，４１ｃ）を作業車両（１）側に着脱自在に取り付ける装着具（４１ｄ）を設けたことを特徴とする請求項１または２記載の作業車両用の分草装置とする。
【０００９】
前記構成によると、作業条件に応じて回転式分草体（４１ｃ，４１ｃ）を作業車両（１）に容易に着脱できるようになる。
【発明の効果】
【００１０】
請求項１の発明によれば、作物の茎葉部を回転自在な回転式分草体（４１ｃ，４１ｃ）によって左右両側に分草するため、回転式分草体（４１ｃ，４１ｃ）に作物の茎葉部が絡み付くことを防止でき、作物を引き抜いてしまうような不具合が解消されて作業能率を向上させることができる。
【００１１】
請求項２の発明によれば、請求項１の発明の効果に加えて、回転式分草体（４１ｃ，４１ｃ）を接地輪（３１ｅ）で接地支持することによって、圃場面の凹凸等に追従して作物の茎葉部を確実に分草することができ、作業能率が向上する。
【００１２】
請求項３の発明によれば、請求項１または２の発明の効果に加えて、装着具（４１ｄ）の操作によって回転式分草体（４１ｃ，４１ｃ）を容易に着脱することができるので、作物の品種や収穫時期等の作業条件に応じた作業を行うことができ、作業能率が向上する。
【発明を実施するための最良の形態】
【００１３】
以下、図面に基づき、本発明を農業用トラクタに装着した形態について説明する。
農用トラクタ１の車体フレーム２の前後には左右前輪３，３及び左右後輪４，４を設け、車体フレーム２の前側部にはエンジン（図示省略）を搭載してボンネット５で被覆し、エンジンの動力を、ミッションケース６内の静油圧式無段変速装置（図示省略）及びギヤ式副変速装置（図示省略）を経由して左右前輪３，３、左右後輪４，４及びＰＴＯ軸（図示省略）に伝達している。車体フレーム２のボンネット５の後側部からハンドルポスト８を上方へ延出してステアリングハンドル９を設け、ステアリングハンドル９の後方に操縦席１０を設けている。ハンドルポスト８の左右両側には無段変速装置変速用の主変速レバー、副変速レバー、アクセルレバー等を設け、操縦席１０の左側には作業機を昇降する昇降レバー１４を設けている。また、ミッションケース６上にはオペレータが足を置くフロア１５を設け、フロア１５上には左右ブレーキペダル、クラッチペダルを設けている。
【００１４】
車体フレーム２の後部には油圧シリンダ（図示省略）により昇降可能に作業機昇降装置２１を設け、この作業機昇降装置２１に例えばタマネギ収穫装置２２を連結している。このタマネギ収穫機２２は、ＰＴＯ軸から動力が伝達される伝動ケース２２ａと、タマネギ収穫装置２２の前側で且つ該伝動ケース２２ａの下方に配置される、圃場に植生するタマネギを掘り起こす掘取刃２２ｂと、該掘取刃２２ｂによって掘り起こされたタマネギを揺動しながら後方に搬送する揺動搬送コンベヤ２２ｃと、該揺動搬送コンベア２２ｃの搬送終端から排出されるタマネギを受けて、機体後側の左右いずれか一側に向けてタマネギを排出搬送する排出コンベヤ２２ｄと、前記伝動ケース２２ａの動力を揺動搬送コンベア２２ｃと排出コンベア２２ｄとに伝達する伝動装置２２ｅ等により構成している。
【００１５】
上記構成によれば、タマネギ収穫装置２２を畝に沿って進行させると、タマネギ収穫装置２２の前側部の掘取刃２２ｂによって圃場からタマネギが掘り起こされ、掘取刃２２ｂの後側の揺動搬送コンベヤ２２ｃによってタマネギは付着した泥土を落とされながら後側上方に搬送されるので、回収した作物から泥土を取り除く作業が必要なくなり、作業者の労力が軽減される。また、掘り起こしたタマネギを保存処理するために、タマネギを圃場に放置して太陽光や風によって乾燥させる場合、泥土がタマネギの乾燥を妨げることがなく、効率よくタマネギが乾燥されて商品価値が向上する。
【００１６】
そして、揺動搬送コンベア２２ｃの搬送終端から排出される排出コンベヤ２２ｄの左右一側に供給され、排出コンベヤ２２ｄによって左右他側に搬送されてまとめて列状に排出されるので、作業者はタマネギの列に沿って農用トラクタ１に装着するドーザー体やその他の回収手段によって、タマネギを効率よく回収することができる。
【００１７】
図２には、収穫時期を調節するために収穫前のタマネギの根部を土中で切断するタマネギ根切装置２３を示している。このタマネギ切断装置２３は、収穫フレーム２３ｈの左右両側に圃場を走行するための左右支持輪２３ｉ，２３ｉを回転自在に設け、該左右支持輪２３ｉ，２３ｉよりも前側に左右支持輪２３ｉ，２３ｉの前側に畝間に入り込んだタマネギの茎葉や雑草等を切断する左右切断輪２３ｊ，２３ｊを回転自在に設け、収穫フレーム２３ｈの後部にはタマネギの根部を切断する根切刃２３ｋを収穫フレーム２３ｈの左右方向に亘って設け、該根切刃２３ｋの左右両側部上方にタマネギを畝上に寄せ集めるための左右案内装置２３ｍ，２３ｍを設け、平面視で後側ほど中央寄りに傾斜させて構成している。
【００１８】
上記構成によれば、タマネギ根切装置２３を畝に沿って進行させると、左右切断輪２３ｊ，２３ｊにより他の畝から畝間に垂れ下がっているタマネギの茎葉部や畝間に生えている雑草を切断し、左右支持輪２３ｉ，２３ｉがその後を通過するので、タマネギの茎葉部や雑草等が左右切断輪２３ｊ，２３ｊの後部の左右支持輪２３ｉ，２３ｉに絡み付くことを防止できるので、左右支持輪２３ｉ，２３ｉに絡み付いた茎葉部を引っ張って収穫前のタマネギを引き抜いてしまうことが防止され、商品価値が向上するとともに、絡み付いた茎葉部や雑草等によって左右支持輪２３ｉ，２３ｉの回転が妨げられて農用トラクタ１の前進が妨げられることが防止され、作業能率が向上する。
【００１９】
また、タマネギ根切装置２３の根切刃２３ｋは土中のタマネギの根部を、タマネギを掘り起こすことなく切断することができるので、タマネギの最適な収穫時期をコントロールして商品価値を可能な限り高くすることが可能となる。
【００２０】
そして、左右案内装置２３ｍ，２３ｍによって、根切作業の際に畝間寄りとなった畝端のタマネギを畝の中央部に向けて寄せることによって、タマネギを掘取収穫の時期まで土中に埋設しておくことができるとともに、タマネギが畝からはみ出すことを防止できるので、最適な収穫時期のタマネギを前記タマネギ収穫装置２３等の収穫手段で傷つけることなく収穫することができ、タマネギの商品価値が向上する。
【００２１】
次に、図３及び図４に基づきタマネギ収穫装置２２またはタマネギ根切装置２３と左右前部分草杆３１，３１と左右後輪部分草体２４，２４を装着した作業状態について説明する。
【００２２】
農用トラクタ１の機体後部にタマネギ収穫機２２またはタマネギ根切装置２３を設け、左右後輪４，４の前方に左右後輪部分草体２４，２４を設け、左右前輪３，３の前方には左右前部分草杆３１，３１を設けている。
【００２３】
ミッションケース６の下部から左右に左右中間フレーム２５を延出し、左右中間フレーム２５に昇降自在に設けた昇降アーム２６に左右後輪部分草体２４，２４を取り付けている。この左右後輪部分草体２４，２４は、前側部には所定高さの左右前側部分草板２４ａ，２４ａを平面視で後側ほど左右両側に傾斜するように構成し、その後側にこの傾斜方向に沿わせて接続している上下複数のロッドからなる左右後側部分草杆２４ｂ，２４ｂとにより構成し、左右後側後輪分草杆２４ｂ，２４ｂの後側部を左右後輪４，４の左右両側まで延長している。
【００２４】
上記構成によれば、左右両側後輪部分草体２４，２４を接地させながら左右後輪４，４の前側を前進させると、畝間に落ちた収穫前のタマネギの茎葉部やタマネギを左右後輪４，４の左右両側に案内するため、左右後輪４，４がタマネギの茎葉部やタマネギを踏み潰すことが防止できるので、円滑迅速に収穫作業や分草作業をすることができるとともに、タマネギの収穫数が維持される。
【００２５】
次に、図５乃至図７に基づき、左右前部分草杆３１，３１を具体的に説明する。
前記左右前輪３，３の左右前車軸３ａ，３ａには平面視でＬ字型に屈曲している左右支持アーム３２，３２の後部を軸支し、該左右支持アーム３２，３２の前側部を左右前輪３，３の前側部外周面に沿わせて上下回動可能に構成している。該左右支持アーム３２，３２の前端部に前記左右前部分草杆３１，３１をボルト、ナット等の固定部材で着脱自在に取り付けている。
【００２６】
前部分草杆３１の下部には分草フレーム３１ａを設け、該分草フレーム３１ａには、前端に突起部を有し、平面視で後側ほど左右両側に拡がり、側面視で上方へ拡張する板体から構成される、後側ほど分草作用面が広い前部分草体３１ｂを固着している。この左右前部分草体３１ｂの後部には、同様に後側ほど左右及び上方へ拡張する多数の棒状体からなる後部分草ガイド３１ｃを固定し、支持アーム３２の前側部に分草フレーム３１ａの後部をボルト、ナットで着脱自在に固定している。
【００２７】
また、分草フレーム３１ａの後側上部には、図６に示すように、左右車輪支持アーム３１ｄ，３１ｄを左右方向の軸で上下調節自在に軸支し、該左右車輪支持アーム３１ｄ，３１ｄの前側部に分草ゲージホイル３１ｅを前部分草体３１ｂの内側に位置するように、且つ回転自在に設け、分草ゲージホイル３１ｅにより左右前部分草杆３１，３１の下端部を少し浮き上がるように支持する構成である。
【００２８】
また、図５及び図６に示すように、農用トラクタ１の前下部に取り付ける前側ヒッチ３３には昇降アーム３７を機体上下方向に回動自在に支持し、前記左右支持アーム３２，３２の前側端部と前側ヒッチ３３の昇降アーム３７との間に左右昇降ワイヤ３４，３４を連結し、該左右昇降ワイヤ３４，３４の中間部を左右前輪ケース３５，３５に取り付けた左右滑車３６，３６に巻き付け支持している。そして、図６に示すように、前記昇降アーム３７を下方に回動させると左右前部分草杆３１，３１が分草位置に下降するとともに、昇降アーム３７を前方へ突出するように回動させると左右前部分草杆３１，３１が非分草位置に上昇するように構成している。
【００２９】
次に、図８及び図９に基づき、補助分草装置４１について説明する。
補助分草装置４１は、前記左右前部分草杆３１，３１に必要に応じて取り付け、分草性能を向上させるものであり、作業条件に合わせて補助分草装置４１を取り付ける、或いは取り外すことによって最適な作業を行うことができるので、作業能率が向上する。
【００３０】
該補助分草装置４１は、前後方向に長い補助分草フレーム４１ａと、補助分草フレーム４１ａの前端部に取り付ける、前端が尖っているとともに後側ほど左右両側に広くなる構成の、後側ほど分草作用面が広い先端補助分草体４１ｂと、該補助分草フレーム４１ａと先端補助分草体４１ｂとの前後間に、夫々ベアリングを介して軸心線回りに回転自在に支持するとともに後側ほど左右間隔が広くなるように配置する左右分草ローラ４１ｃ，４１ｃと、補助分草フレーム４１ａの後側部における左右分草ローラ４１ｃ，４１ｃの左右方向の略中間位置に設けた係止バックル４１ｄとで構成する。
【００３１】
そして、該補助分草装置４１の補助分草フレーム４１ａを左右前部分草杆３１，３１の上側に載置し、前部分草体３１ｂの先端部に先端補助分草部４１ｂを嵌合装着し、前部分草体３１ｂの後側ほど左右及び上方へ拡張する案内面に左右分草ローラ４１ｃ，４１ｃを沿わせるようにし、分草フレーム３１ａに補助分草フレーム４１ａを係止バックル４１ｄにより着脱自在に固定する。
【００３２】
左右前部分草杆３１，３１だけの構成であると、タマネギの茎葉部が左右両側にうまく分離されずに左右前部分草杆３１，３１に絡み付き、タマネギを引き抜くという不具合が発生していた。
【００３３】
しかし、上記構成によれば、補助分草装置４１を装着した左右前部分草杆３１，３１を畝に沿って進行させると、先端補助分草部４１ｂにより引き起こされたタマネギの茎葉部は、後続する左右分草ローラ４１ｃ，４１ｃに案内され、左右分草ローラ４１ｃ，４１ｃの後側ほど左右及び上方へ拡張する案内面に沿って左右両側に案内される。そして、相対的に後方へ摺接移動するタマネギの茎葉部により、左右分草ローラ４１ｃ，４１ｃが軸心回りに回転するので、茎葉部を左右両側へ円滑に分草しながら案内することができ、左右分草ローラ４１ｃ，４１ｃへの巻き付き防止することができる。
【００３４】
また、左右前輪３，３の左右前車軸３ａ，３ａに取り付けている左右前部分草杆３１，３１に左右補助分草装置４１，４１を取り付けていることによって、左右前輪３，３の操舵方向に動かすことによって分草方向を変更することができるので、畝に追従した分草作業を円滑に行なうことができて作業能率が向上する。
【００３５】
さらに、左右前部分草杆３１，３１を左右分草ゲージホイル３１ｅ，３１ｅにより支持しているため、左右前部分草杆３１，３１を圃場の凹凸に追従して上下動させることができるので、タマネギの茎葉部を確実に残さず分草することができ、作業能率が向上する。
【００３６】
そして、補助分草装置４１を係止バックル４１ｄの操作によって分草杆３１から着脱できることによって、早生品種のタマネギを収穫するときや前記タマネギ根切装置２３で圃場に植生するタマネギの根部を切断するとき、即ちタマネギの茎葉部が瑞々しく丈夫な時期には補助分草装置４１を装着することによって、分草杆３１や補助分草装置４１等に絡み付いてくるタマネギの茎葉部を左右分草ローラ４１ｃ，４１ｃによって分草杆３１の左右両側に案内することができるので、分草杆３１が茎葉部の絡み付いたタマネギを圃場から引き抜いてしまうことが防止され、タマネギの商品価値を維持することができる。
【００３７】
逆に、根部を切断して収穫適期まで放置したタマネギや、晩成品種のタマネギを収穫するとき、即ちタマネギの茎葉部が枯れて脆い時期には補助分草装置４１を外すことによって、農用トラクタ１の前後幅を短くすることができるので、枕地作業や圃場端での旋回作業が容易になり、作業能率が向上する。
【００３８】
次に、図１０に基づき補助分草装置４１の左右分草ローラ４１ｃ，４１ｃを強制的に回転駆動する構成について説明する。
分草フレーム３１ａの後側上部には、左右車輪支持アーム３１ｄ，３１ｄの後端部を左右方向の軸で上下調節自在に軸支し、左右車輪支持アーム３１ｄ，３１ｄの前側部に分草ゲージホイル３１ｅを前部分草体３１ｂの後方に位置するように設け、分草ゲージホイル３１ｅにより左右前部分草杆３１，３１の下端部を少し浮き上がるように支持している。
【００３９】
補助分草装置４１の補助分草フレーム４１ａの後側部にはローラ駆動装置４３を着脱自在に取り付けている。このローラ駆動装置４３は、補助分草フレーム４１ａの後部に着脱自在に取り付けられる駆動フレーム４３ａと、駆動フレーム４３ａには平面視で左右両側ほど後側になるように傾斜する、軸回りに回転するように軸架している左右駆動輪体４３ｂ，４３ｂとで構成されている。
【００４０】
そして、この左右駆動輪体４３ｂ，４３ｂの下部を分草ゲージホイル３１ｅの上側面に接触させると共に、左右駆動輪体４３ｂ，４３ｂの上部を補助分草装置４１側の左右分草ローラ４１ｃ，４１ｃの下側部に接触するように構成している。
【００４１】
前記構成によると、前部分草杆３１と補助分草装置４１が前進し、分草ゲージホイル３１ｅが回転すると、接触している左右駆動輪体４３ｂ，４３ｂが回転し、左右分草ローラ４１ｃ，４１ｃの上部側が左右両側に向けて回転する。
【００４２】
従って、補助分草装置４１の左右分草ローラ４１ｃ，４１ｃを強制回転させることによって、タマネギの茎葉部を強制的に左右両側へ移動させることができるので、左右分草ローラ４１ｃ，４１ｃへのタマネギの茎葉の絡み付きが防止され、より円滑に茎葉部の分離を促進することができる。
【００４３】
次に、図１１及び図１２に基づき、補助分草装置４１における左右分草ローラ４１ｃ，４１ｃの上下揺動構成について説明する。
分草フレーム３１ａの後側上部には、左右車輪支持アーム３１ｄ，３１ｄの後端部を左右方向の軸で上下調節自在に軸支し、左右車輪支持アーム３１ｄ，３１ｄの前側部に分草ゲージホイル３１ｅを前部分草体３１ｂの後方に位置するように設け、分草ゲージホイル３１ｅにより左右前部分草杆３１，３１の下端部を少し浮き上がるように支持している。
【００４４】
前部分草杆３１側のボール状支持部３１ｆに先端補助分草体４１ｂの前側端部に設けた凹部４１ｅを上方から嵌合して支持し、補助分草フレーム４１ａ及び左右分草ローラ４１ｃ，４１ｃを上下揺動自在に支持し、補助分草フレーム４１ａの後側部にはローラ揺動装置４５を着脱自在に取り付けている。
【００４５】
このローラ揺動装置４５は、補助分草フレーム４１ａの後部に垂下支持されている長さ調節自在の支持棒４５ａと、支持棒４５ａの下端部に前後方向中間部が枢支されている揺動フレーム４５ｂと、揺動フレーム４５ｂの後側部に軸支されていて前記分草ゲージホイル３１ｅの後側部に接触している偏心ローラ４５ｃと、揺動フレーム４５ｂの前側左右両側部に左右方向に沿うように中間部が軸支されている左右前側アーム４５ｄ，４５ｄと、左右前側アーム４５ｄ，４５ｄの左右両側部に前後方向軸心回りに支架されていて、且つ、左右分草ローラ４１ｃ，４１ｃの下側部に接触する左右ローラ４５ｅ，４５ｅと、左右ローラ４５ｅ，４５ｅを左右分草ローラ４１ｃ，４１ｃに押圧付勢するトルクスプリング４５ｆ，４５ｆと、左右前側アーム４５ｄ，４５ｄの内側端部と揺動フレーム４５ｂの中間部との間を連結する長さ調節自在の左右調節棒４５ｇ，４５ｇに、より構成している。
【００４６】
前記構成によると、分草ゲージホイル３１ｅが回転すると、偏心ローラ４５ｃが回転し、揺動フレーム４５ｂの前後方向中間部を支点として上下揺動し、左右ローラ４５ｅ，４５ｅも上下揺動に応じて、左右分草ローラ４１ｃ，４１ｃも上下揺動する。従って、タマネギの茎葉部を左右ローラ４５ｅ，４５ｅにより上下揺動しながら分草することができ、絡み付きが少なく分離がスムーズになり、分草速度を速くし、作業能率を高めることができる。
【図面の簡単な説明】
【００４７】
【図１】タマネギ回収装置を装着したトラクタの側面図。
【図２】タマネギ根切装置を装着したトラクタの側面図。
【図３】タマネギ回収装置と後輪部分草体を装着したトラクタの側面図。
【図４】タマネギ根切装置と後輪部分草体を装着したトラクタの側面図。
【図５】前部分草杆の斜視図。
【図６】前部分草杆の分解斜視図。
【図７】前部分草杆の分解斜視図。
【図８】（ａ）  前部分草杆及び補助分草装置の側面図。
【００４８】
（ｂ）  前部分草杆及び補助分草装置の平面図。
【図９】（ａ）  補助分草装置の側面図。              （ｂ）  補助分草装置の平面図。
【図１０】補助分草装置の側面図、平面図。
【図１１】補助分草装置の側面図、平面図。
【図１２】ローラ上下動装置の平面図。
【符号の説明】
【００４９】
１      農用トラクタ（作業車両）
３      走行装置（前輪）
３ａ    車軸部
３１      分草杆
３１ａ    分草フレーム
３１ｂ    前部分草体
３１ｃ    後部分草ガイド
３１ｄ    車輪支持アーム
３１ｅ    分草ゲージホイル（接地輪）
３２      支持アーム
４１      補助分草装置（分草装置）
４１ａ    補助分草フレーム
４１ｂ    先端補助分草体
４１ｃ    分草ローラ（回転式分草体）
４１ｄ    係止バックル（装着具）
【図１】
2010035440.tif 000003
【図２】
2010035440.tif 000004
【図３】
2010035440.tif 000005
【図４】
2010035440.tif 000006
【図５】
2010035440.tif 000007
【図６】
2010035440.tif 000008
【図７】
2010035440.tif 000009
【図８】
2010035440.tif 000010
【図９】
2010035440.tif 000011
【図１０】
2010035440.tif 000012
【図１１】
2010035440.tif 000013
【図１２】
2010035440.tif 000014